(57)【特許請求の範囲】
【請求項１】
各領域毎にほぼ同一粒径の複数の粒子が配置された複数の領域を備えた少なくとも２つの層を重ね合わせることにより形成された光拡散板であって、
同一層に備えられた前記各領域がそれぞれ特定の波長域の光を選択的に拡散するように、前記同一層に備えられた各領域毎に粒径の異なる粒子を配置し、かつ前記各領域のうち何れの領域にも、他層に備えられた領域のうち、前記層の重ね合わせ方向に位置する領域に配置された粒子とは異なる粒径の粒子を配置したことを特徴とする光拡散板。
【発明の詳細な説明】
【０００１】
【発明の属する技術分野】
本発明は、例えば、
液晶表示装置、アナウンスパネル等のようなディスプレイシステムに適用される、特定の波長の光を選択的に拡散する光拡散板に関するものである。
【０００２】
【従来の技術】
プロジェクションスクリーン、液晶表示装置、アナウンスパネル等では、観察の際の視野角を確保する（すなわち、特定角度範囲内で明るく表示画像を見せる）ことや、表示画面の全面に渡って均一な明るさで表示画像を見えるようにする目的で、光拡散板が配置され使用されてきている。
【０００３】
このような従来の光拡散板としては、表面を物理的な加工や化学的な溶解処理などによりマット状に加工した樹脂フイルムや、内部に拡散材を包含した樹脂フィルムなどの光散乱フィルムが用いられている。
【０００４】
しかしながら、従来の光散乱フィルムでは、光の拡散機能は有しているものの、拡散光の色までも制御する事は、構造上不可能であり、実際にそのような機能は有していない。
【０００５】
そのため、拡散範囲（視域）を広げるために、マット面の粗さを細かくしたり、内部拡散材のサイズを小さくすると、光の散乱現象で説明されるように、青い光（波長の短い光）が赤い光（波長の長い光）に比べて、より多く（広く）散乱され、結果として拡散光が黄色く色づいてみえるという問題点がある。
【０００６】
或いは最近では、光拡散板として、前記光散乱フィルムとは異なり、レンチキュラーレンズやフレネルレンズ、プリズムアレイなどの光学機能を有する樹脂シートなども用いられてきている。
【０００７】
このような光学機能シートでは、光の屈折現象を用いているため、前記光散乱フィルムのような色づきは生じないものの、その構造上、ある程度の厚みを要するため、表示装置の厚みや如いては重量が増してしまうという問題点がある。
【０００８】
【発明が解決しようとする課題】
本発明の主たる目的は、厚みの薄いフィルム様の形態でありながら、白色光からなる入射光が、光拡散板の各層を通過する場合、各層において特定の波長域にある光の成分をともに選択的に強く拡散させ、もって、どの光成分も良好なカラーバランスで光を拡散することができる、これまでに報告例の無い、光拡散板を提供することにある。
【０００９】
【課題を解決するための手段】
上記の目的を達成するために、本発明では、以下のような手段を講じる。
【００２６】
すなわち、請求項１の発明は、各領域毎にほぼ同一粒径の複数の粒子が配置された複数の領域を備えた少なくとも２つの層を重ね合わせることにより形成された光拡散板であって、同一層に備えられた各領域がそれぞれ特定の波長域の光を選択的に拡散するように、同一層に備えられた各領域毎に粒径の異なる粒子を配置し、かつ各領域のうち何れの領域にも、他層に備えられた領域のうち、層の重ね合わせ方向に位置する領域に配置された粒子とは異なる粒径の粒子を配置する。
【００２７】
従って、請求項１の発明の光拡散板においては、同一層であっても各領域において、特定の波長域の光を拡散することができる。また、このような層を複数重ね合わせることによって、拡散効率を制御することも可能となる。
【００３０】
【発明の実施の形態】
以下に、本発明の各実施の形態について図面を参照しながら説明する。
【００３１】
（第１の実施の形態）
本発明の第１の実施の形態を図１から図５を用いて説明する。
【００３２】
図１は第１の実施の形態に係る光拡散板の外形の一例を示す斜視図、図２は同実施の形態に係る光拡散板の断面図の一例である。
【００３３】
すなわち、本実施の形態に係る光拡散板１は、図１および図２に示すように、複数の層２ａ〜２ｃを備えており、それぞれの層２には、ほぼ同一粒径の粒子３を配置している。図２に示す例では、光拡散板１は、入射光Ｌ側から第１層２ａ、第２層２ｂ、第３層２ｃを備えており、第１層２ａには大粒径粒子３ａ、第２層２ｂには中粒径粒子３ｂ、第３層２ｃには小粒径粒子３ｃをそれぞれ配置している。
【００３４】
一般に、光の散乱あるいは拡散は、屈折、反射および回折の物理的現象によって主に生じる。これらでは、光が拡散面に到達した後に拡散面から異なる方向へ広がるように見えるということである。
【００３５】
媒体を通過する入射光Ｌの拡散特性あるいは散乱特性は、散乱中心である粒子３の粒径（サイズ）に関連していることは周知である。光散乱中、必要とされる光の波長に関して、粒子の粒径（サイズ）が３つのグループ、すなわち、１）非常に小さい粒子による散乱、２）非常に大きい粒子による散乱、３）粒径が波長に近い粒子による散乱、に分類される。
【００３６】
１）非常に小さい粒子による散乱
波長に比較して小さい物体による光の散乱は、レイリー散乱として公知である。レイリーの式（Levi Leo, Applied Optics: A Guide To Optical System Design/ Volume 2 (John Wiley and Sons, 1980), Chapter 12, Appendix 12.1 参照）は、波長に対する散乱放射線の強度の依存度が波長の４乗に逆比例することを示している。したがって、小さい粒子３ｃで得られた光の散乱は、小さい粒子３ｃが主に青味がかった光（Ｂ）を散乱すると同時に、比較的赤味がかった光（Ｒ）にはほとんど影響を及ぼさない。
【００３７】
２）非常に大きい粒子による散乱
一方、粒径（サイズ）が波長に近いかあるいはその波長よりも大きい粒子による光の散乱は、１９０８年にＭｉｅによって示された式によって明らかにされている（Born and Wolf, Principles of Physics, (Pergamon Press LTD.), 1970）。
【００３８】
Ｍｉｅの式では、計算が単一球体による回折を考慮して行われているが、もし球体が全て同じ直径および構成であり、球体がランダムに分布され、波長と比較して長い距離だけ分離されるならば、計算は任意の数の球体による回折に適用できる。粒子の粒径（サイズ）が光の波長よりも非常に大きい場合、屈折は波長に関係なく生じる。
【００３９】
３）粒径（サイズ）が波長に近い粒子による散乱
粒子が、光の波長に近い粒径（サイズ）を有する場合、散乱光は非常に珍しい。同じ粒径（サイズ）を有する粒子の大きな分布は全ての範囲の透過色を生じ得る。換言すると、散乱処理はある波長に対して選択的に行うことができる。
【００４０】
このように、それぞれの層２に、ほぼ同一粒径の粒子３を配置し、更に各層２ａ〜２ｃに配置された粒子３ａ〜３ｃの粒径を異なるものとすることによって、各層２ａ〜２ｃは、それぞれ特定の波長域の光を選択的に拡散する。
【００４１】
上記に説明されているように、散乱パターンに対する計算解を得るのは容易でない。それにもかかわらず、Ｍｉｅによって行われた計算や、下記に示すＶａｎｄｅ Ｈｕｌｓｔによって展開された簡略式（H.C. van de Hulst, Light Scattering by Small Particles, Wiely, New York, 1957 参照）を使用して、本実施の形態に係る光拡散板１のために望まれるパラメータを推論する。
Ｑｓｃ＝２−４ｓｉｎρ／ρ＋４（１−ｃｏｓρ）／ρ＾2・・（１−１）
ρ＝２α（ｎ２−ｎ１）                                    ・・（１−２）
α＝２πｒ／λ                                        ・・（１−３）
ただし、Ｑｓｃ：散乱効率係数；ｒ：球体半径；ｎ１：媒体の屈折率；
ｎ２：粒子の屈折率；λ：波長。
【００４２】
上記に示す式（１−１）〜（１−３）は、吸収が必要とされない場合、光学原理から展開されることに注目すべきである。さらに、次の仮定、すなわち、ｎ２−ｎ１が０に近い、粒子の半径が波長よりも大きいことがあげられる。図２に示される光拡散板１のような３つの層２ａ〜２ｃによって形成される簡単な例を取り上げ、散乱粒子と媒体の屈折率差ｎ２−ｎ１が０で散乱粒子がほぼ球体であると仮定し、白色光ビームである入射光Ｌの赤色（Ｒ）、緑色（Ｇ）および青色（Ｂ）の成分に影響を及ぼすべきである場合、光拡散板１は下記の特性を有し得る。
【００４３】
図３は、上述した式（１−１）〜（１−３）を用いて求めた３つの層２ａ〜２ｃに対する拡散効率（相対値）を、波長（μｍ）に対してプロットした相関図である。
【００４４】
なお、このとき、第１層２ａに配置する粒子３ａの粒径（サイズ）は０．７４ミクロン（μｍ）、第２層２ｂに配置する粒子３ｂの粒径（サイズ）は０．５６ミクロン（μｍ）、第３層２ｃに配置する粒子３ｃの粒径（サイズ）は０．３８ミクロン（μｍ）である。
【００４５】
図３に示すように、第１層２ａは、可視光領域の高波長側、すなわち赤色（Ｒ）の光を効率よく拡散し、第２層２ｂは、可視光領域の中間波長域、すなわち緑（Ｇ）色の光を効率よく拡散し、第３層２ｃは、可視光領域の短波長側、すなわち青色（Ｂ）の光を効率よく拡散する。
【００４６】
すなわち、図４に示すように、光拡散板１に入射した入射光Ｌのうち赤色の光ＬＲは、第１層２ａにおいて効率的に拡散され、拡散された光が、第２層２ｂ、第３層２ｃを経た後に、入射側と逆の面から、出るようにしている。なお、赤色の光ＬＲに対しては、図３に示すように、第２層２ｂも高い拡散効率を有することから、第２層２ｂは、第１層２ａで拡散された赤色の光ＬＲを、更に拡散する。赤色の光ＬＲに対して第３層２ｃは、図３に示すように、低い拡散効率を有することから、第３層２ｃは、第２層２ｂで拡散された赤色の光ＬＲを、更に若干拡散する。
【００４７】
光拡散板１に入射した入射光Ｌのうち緑の光ＬＧは、第２層２ｂにおいて効率的に拡散されるようにしている。なお、緑色の光ＬＧに対しては、図３に示すように、第１層２ａ、第３層２ｃも若干拡散効率を有することから、第１層２ａは、光拡散板１に入射した入射光Ｌのうち、緑色の光ＬＧを若干拡散し、第２層２ａは、第１層２ａによって若干拡散された緑色の光ＬＧを効率良く拡散し、第３層２ｃは、第２層２ｂで拡散された緑色の光ＬＧを、更に若干拡散し、入射側と逆の面から、この拡散された光が出るようにしている。
【００４８】
光拡散板１に入射した入射光Ｌのうち青色の光ＬＢは、第３層２ｃにおいて効率的に拡散され、拡散された光が、入射側と逆の面から出るようにしている。なお、青色の光ＬＢに対しては、図３に示すように、第２層２ｂも高い拡散効率を有し、第１層２ａはほとんど拡散しない。このことから、青色の光ＬＢは、第１層２ａではほとんど拡散されず第２層２ｂに入り、第２層２ｂで若干拡散されて第３層２ｃに入り、第３層２ｃで効率よく拡散されて入射側と逆の面から出るようにしている。
【００４９】
上述したような結果に基づいて、本実施の形態に係る光拡散板１では、第１層２ａでは、粒子３ａの粒径（サイズ）を０．６５〜１．０ミクロン（μｍ）とし、これによって入射光Ｌのうちの赤色の成分（Ｒ）を効率よく拡散する。第２層２ｂでは、粒子３ｂの粒径（サイズ）を０．５０〜０．６５ミクロン（μｍ）とし、これによって入射光Ｌのうちの緑色の成分（Ｇ）を効率よく拡散する。第３層２ｃでは、粒子３ｃの粒径（サイズ）を０．３０〜０．５５ミクロン（μｍ）とし、これによって入射光Ｌのうちの青色の成分（Ｂ）を効率よく拡散する。また、同一層内に配置する各粒子３の粒径（サイズ）を、同一層２内の全粒子３の平均粒径（サイズ）に対して±２０％以内とする。このように、同一層２内に配置する粒子３の粒径（サイズ）のバラツキを少なくすることによって、各層２の拡散効率をより高める。更に、これら粒子３の屈折率と、光拡散板１の媒体との屈折率差を０．０１から０．５とする。特に０．３程度が望ましい。このことは、上記に示す式（１−１）〜（１−３）が、上述のように屈折率差が小さいときに成り立ちさらに、（１−１）〜（１−３）を解くことにより、屈折率差が約０．３をピークに高い値を示し、０．０１から０．５の範囲で十分な拡散性を示すことからわかる。
【００５０】
好適には、この光拡散板１の厚みは、数ミクロン（μｍ）から数ミリメートルまでの範囲とする。そして、光拡散板１の各層２ａ〜２ｃは１ミクロン（μｍ）〜１００ミクロン（μｍ）の範囲とする。
【００５１】
上記に説明されているような光拡散板１の層２構造が、色帯域幅の拡散光の制御を可能にし、拡散色成分間のバランスを実現するのは上述したような理由のためである。これは例えば、層２に配置する粒子３の配置密度や、層２の厚みを変えることによって自在に制御可能である。
【００５２】
なお、図２では、３つの層２ａ〜２ｃからなる光拡散板１を一例として示しているが、本発明の光拡散板１は、３つの層２ａ〜２ｃからなるものに限るものではなく、複数の層２を備えていれば、その数は特に限定しない。
【００５３】
ここに示された積層構造を有する光拡散板１では、例えば、全散乱粒子が光拡散板１内で混合される場合、その側面から光が入ったりあるいは出たりすることもあるがこれによって色拡散効率が影響を受けることはない。
【００５４】
一方、この光拡散板１の積層構造のために、前方から入射し後方から出射する光の場合と、その逆に、後方から入射し前方から出射する光の場合とでは色拡散効率は異なる。これは、青光の波長が短いため、例えばノイズ成分など様々な散乱成分の影響を受けやすいために生じる。このような特性は、非対称性として前述されたものである。
【００５５】
本実施の形態のように、光拡散板１を３つの層２ａ〜２ｃで形成する場合、各層２ａ〜２ｃに配置する粒子の粒径（サイズ）のとりうるパターンは、図５（ａ）〜（ｆ）に示すように６通りあるが、上述した理由から、図５（ａ）に示すように、層２を、入射光Ｌ側からみて、大きな粒径の粒子３ａが備えられ赤色（Ｒ）を効率よく拡散する第１層２ａ、中程度の粒径の粒子３ｂが備えられ緑色（Ｇ）を効率よく拡散する第２層２ｂ、小さな粒径の粒子３ｃが備えられ青色（Ｂ）を効率よく拡散する第３層２ｃの順で使用することが得策である。
【００５６】
次に、以上のように構成した本実施の形態に係る光拡散板の作用について説明する。
【００５７】
すなわち、図２に示すように、本実施の形態に係る光拡散板１の左方から入射された入射光Ｌは、図４に示すように、第１層２ａにおいてその赤色の成分ＬＲが効率よく拡散される。第１層２ａは、図３に示すように、緑色の成分ＬＧについても中程度の拡散効率を有しているので、緑色の成分ＬＧも若干拡散される。また、第１層２ａは、図３に示すように、青色の成分ＬＢについては低い拡散効率を有しているので、青色の成分ＬＢはほとんど拡散されない。
【００５８】
このように第１層２ａにおいて効率よく拡散された赤色の成分ＬＲ、若干拡散された緑色の成分ＬＧ、ほとんど拡散されなかった青色の成分ＬＢは、第２層２ｂにおいて以下のように拡散される。
【００５９】
すなわち、図４に示すように、第２層２ｂにおいてその緑色の成分ＬＧが効率よく拡散される。第２層２ｂは、図３に示すように、赤色の成分ＬＲについても高い拡散効率を有しているので、赤色の成分ＬＲもかなり効率よく拡散される。また、第２層２ｂは、図３に示すように、青色の成分ＬＢについても若干の拡散効率を有しているので、青色の成分ＬＢは若干拡散される。
【００６０】
このように第２層２ｂにおいて効率よく拡散された緑色の成分ＬＧ、かなりよく拡散された赤色の成分ＬＲ、若干拡散された青色の成分ＬＢは、第３層２ｃにおいて以下のように拡散される。
【００６１】
すなわち、図４に示すように、第３層２ｃにおいてその青色の成分ＬＢが効率よく拡散される。第３層２ｃは、図３に示すように、緑色の成分ＬＧについても中程度の拡散効率を有しているので、緑色の成分ＬＧもかなり効率よく拡散される。また、第３層２ｃは、図３に示すように、赤色の成分ＬＲについては低い拡散効率を有しているので、赤色の成分ＬＲはほとんど拡散されない。
【００６２】
このようにして、本実施の形態の光拡散板１に入射した入射光Ｌは、その赤色の成分ＬＲが主に第１層２ａにおいて、その緑色の成分ＬＧが主に第２層２ｂにおいて、その青色の成分ＬＢが主に第３層２ｃにおいて効率よく拡散される。
【００６３】
更に、各層２ａ〜２ｃに配置されている粒子３ａ〜３ｃの粒径（サイズ）、配置密度、各層２ａ〜２ｃの厚みを変えることによって、各色の成分ＬＲ、ＬＧ、ＬＢの強弱を調節することができる。たとえば、図４に示す第１層２ａをより厚くし、更に、ここに配置されている粒子３ａの配置密度を高めることによって、赤色の成分ＬＲがより強調して拡散される。
【００６４】
上述したように、本実施の形態に係る光拡散板においては、上記のような作用により、白色光からなる入射光Ｌが、光拡散板１の各層２ａ〜２ｃを通過する場合、各層２ａ〜２ｃにおいて特定の波長域にある光の成分が、選択的に強く拡散され、これによって、どの光成分も良好にカラーバランスで光を拡散することができる。
【００６５】
すなわち、従来なし得なかった、特定の波長の光を選択的に拡散させることにより、良好なカラーバランスで光を拡散することができる光拡散板を提供することが可能となる。
【００６６】
（第２の実施の形態）
本発明の第２の実施の形態を図６を用いて説明する。
【００６７】
図６は、第２の実施の形態に係る光拡散板の一例を示す断面図であり、図２と同一部分には同一符号を付してその説明を省略し、ここでは異なる部分についてのみ述べる。
【００６８】
図６に示すように、本実施の形態に係る光拡散板１は、第１の実施の形態に係る光拡散板１の一変形例であり、予め別工程で製造した各層２ａ〜２ｃを、重ね合わせ結合し形成したものである。
【００６９】
なお、本実施の形態では、３層２ａ〜２ｃから形成される光拡散板１を一例として示しているが、３層２ａ〜２ｃに限定されるものではない。また、３層２ａ〜２ｃで形成されている光拡散板１に、新たな層を追加したり、不要な層を取り除いたりすることも可能である。第１の実施の形態で示すような光拡散板１に新たな層を結合することにより追加することも可能である。
【００７０】
このような構成としても、第１の実施の形態と同様の作用効果を実現することができる。
【００７１】
（第３の実施の形態）
本発明の第３の実施の形態を図７を用いて説明する。
【００７２】
図７は、第３の実施の形態に係る光拡散板の一例を示す断面図であり、図２と同一部分には同一符号を付してその説明を省略し、ここでは異なる部分についてのみ述べる。
【００７３】
図７に示すように、本実施の形態に係る光拡散板１は、第２の実施の形態に係る光拡散板１の一変形例であり、予め別工程で製造した各層２ａ〜２ｃが、更に層の長手方向に分割された３領域（＃１〜＃３）を備えているものである。
【００７４】
すなわち、第１層２ａについては、粒径の大きい粒子３ａを配置している第１層２ａ（＃１）、中程度の粒径の粒子３ｂを配置している第２層２ａ（＃２）、粒径の小さい粒子３ｃを配置している第３層２ａ（＃３）を備えている。
【００７５】
第２層２ｂについても、中程度の粒径の粒子３ｂを配置している第１層２ｂ（＃１）、粒径の小さい粒子３ｃを配置している第２層２ｂ（＃２）、粒径の大きい粒子３ａを配置している第３層２ｂ（＃３）を備えている。
【００７６】
第３層２ｃについても、粒径の小さい粒子３ｃを配置している第１層２ｃ（＃１）、粒径の大きい粒子３ａを配置している第２層２ｃ（＃２）、中程度の粒径の粒子３ｂを配置している第３層２ｃ（＃３）を備えている。
【００７７】
これらは、各層２ａ〜２ｃの母材に、粒径の異なる粒子３ａ〜３ｂを領域毎に配置することによって各層２ａ〜２ｃを形成し、更に、このようにして形成された各層２ａ〜２ｃを重ね合わせ結合することによって光拡散板１を形成する。
【００７８】
あるいは、各層２ａ（＃１〜＃３）、２ｂ（＃１〜＃３）、２ｃ（＃１〜＃３）の母材に、粒径の異なる粒子３ａ〜３ｂを領域毎に配置することによって各層２ａ（＃１〜＃３）、２ｂ（＃１〜＃３）、２ｃ（＃１〜＃３）を形成し、更に、このように形成された領域を適宜長手方向に接合することによって層２ａ〜２ｃを形成し、しかる後に、各層２ａ〜２ｃを重ね合わせ結合することによって光拡散板１を形成するようにしてもよい。
【００７９】
なお、本実施の形態では、３層２ａ〜２ｃから形成される光拡散板１を一例として示しているが、３層２ａ〜２ｃに限定されるものではない。また、３層２ａ〜２ｃで形成されている光拡散板１に、新たな層を追加したり、不要な層を取り除いたりすることも可能である。第１の実施の形態で示すような光拡散板１に新たな層を結合することにより追加することも可能である。
【００８０】
また、各層はそれぞれ３つの領域（＃１〜＃３）を備えているが、３領域に限定されるものではない。光拡散板１に入射した入射光Ｌが、拡散光として出射されるまでにどの領域を介しても、入射光Ｌの各成分が等しく拡散されるように粒子３ａ〜３ｃを配置していれば良い。
【００８１】
このような構成としても、第１の実施の形態と同様の作用効果を実現することができる。
【００８２】
（第４の実施の形態）
本発明の第４の実施の形態を図８から図１１を用いて説明する。
【００８３】
図８（ａ）は第４の実施の形態に係る光拡散板の外形の一例を示す斜視図、図８（ｂ）は同実施の形態に係る光拡散板の一例を示す断面図である。
【００８４】
すなわち、本実施の形態に係る光拡散板１は、図８に示すように、厚み方向を貫通する多数の屈折領域６を設けている。ここでは、その径の大きさから、屈折領域（大）６ａ、屈折領域（中）６ｂ、屈折領域（小）６ｃの３種類の屈折領域を設けている。
【００８５】
このように多数の屈折領域６が設けられた光拡散板１の製造方法について図９と図１０とを用いて説明する。
【００８６】
本実施の形態における光拡散板１は、ＵＶ光ビームＵを受けると屈折率が変化する記録材から構成しており、例えば、ホログラフィで使用される光ポリマー型材料を用いたものであり、ＵＶ光ビームＵが入射する入射面側を、図９に示すようなマスク４で覆う。このマスク４には、光拡散板１に設ける屈折領域６のパターンにしたがった開口部５が穿孔されている。すなわち、マスク４における開口部（大）５ａは屈折領域（大）６ａに相当し、開口部（中）５ｂは屈折領域（中）６ｂに相当し、開口部（小）５ｃは屈折領域（小）６ｃに相当する。
【００８７】
図１０に示すように、記録材からなる光拡散板１の面を、このようなマスク４で覆い、このマスク４を介してＵＶ光ビームＵを照射する。光拡散板１では、これら開口部５を介してＵＶ光ビームＵの照射を受けた箇所は、屈折率が変化した屈折領域６となる。すなわち、開口部（大）５ａを介してＵＶ光ビームＵの照射を受けた箇所は屈折領域（大）６ａとなり、開口部（中）５ｂを介してＵＶ光ビームＵの照射を受けた箇所は屈折領域（中）６ｂとなり、開口部（小）５ｃを介してＵＶ光ビームＵの照射を受けた箇所は屈折領域（小）６ｃとなる。
【００８８】
なお、図９に示す一例では、マスク４は、３種類の開口部５、すなわち開口部（大）５ａ、開口部（中）５ｂ、開口部（小）５ｃを多数設けているが、開口部５の種類数は、３種類に限るものではない。また、これら開口部５の配置については、規則的であっても、不規則であってもよい。
【００８９】
本実施の形態において開口部５は、第１から第３の実施の形態における粒子３に相当し、開口部（大）５ａは大きい粒子３ａ、開口部（中）５ｂは中程度の粒子３ｂ、開口部（小）５ｃは小さい粒子３ｃにそれぞれ相当する。
【００９０】
このような構成としても、第１の実施の形態と同様の作用効果を実現することができる。
【００９１】
なお、図１１は、本実施の形態に係る光拡散板１の変形例の断面図である。この様に、第１層２ａと第２層２ｂと第３層２ｃとを重ね合わせた構成とすることによって、別の屈折領域パターンを持つ層を追加することも可能である。
【００９２】
以上、本発明の好適な実施の形態について、添付図面を参照しながら説明したが、本発明はかかる構成に限定されない。特許請求の範囲に記載された技術的思想の範疇において、当業者であれば、各種の変更例及び修正例に想到し得るものであり、それら変更例及び修正例についても本発明の技術的範囲に属するものと了解される。
【００９３】
【発明の効果】
以上説明したように、本発明によれば、白色光からなる入射光が、光拡散板の各層を通過する場合、各層において特定の波長域にある光の成分をともに選択的に強く拡散させ、もって、どの光成分も良好なカラーバランスで光を拡散することができる、これまでに報告例の無い、光拡散板を実現することができる。
【図面の簡単な説明】
【図１】第１の実施の形態に係る光拡散板の外形の一例を示す斜視図
【図２】第１の実施の形態に係る光拡散板の断面図
【図３】各層における波長と拡散効率との相関図
【図４】白色光における各色成分が各層において拡散される状態を説明するための模式図
【図５】光拡散板を３つの層で形成する場合、各層に配置する粒子の粒径（サイズ）のとりうるパターンを示す模式図
【図６】第２の実施の形態に係る光拡散板の断面図
【図７】第３の実施の形態に係る光拡散板の断面図
【図８】第４の実施の形態に係る光拡散板の外形の一例を示す斜視図および断面図
【図９】マスクの一例を示す正面図
【図１０】多数の屈折領域が設けられた光拡散板の製造方法を示す模式図
【図１１】第４の実施の形態に係る光拡散板の変形例を示す断面図
【符号の説明】
１…光拡散板
２…層
３…粒子
４…マスク
５…開口部
６…屈折領域
【図１】
0003951580.tif 000002
【図２】
0003951580.tif 000003
【図３】
0003951580.tif 000004
【図４】
0003951580.tif 000005
【図５】
0003951580.tif 000006
【図６】
0003951580.tif 000007
【図７】
0003951580.tif 000008
【図８】
0003951580.tif 000009
【図９】
0003951580.tif 000010
【図１０】
0003951580.tif 000011
【図１１】
0003951580.tif 000012